(57)【要約】【課題】近隣の迷惑になるのを抑制して点検を行うことができる車両制御装置を提供する。【解決手段】車両を自動で停止させる自動停止装置４と、聴覚により警告を報知する聴覚報知装置５と、視覚により警告を報知する視覚報知装置６と、車両Ｖに設けられた作動スイッチ２が押下されると、異常時処理を行う異常時処理部１１と、作動スイッチ２の押下と他の操作とを組み合わせた点検開始操作が行われると、異常時処理を点検するための点検処理を行う点検処理部１２と、を備え、異常時処理部１１は、異常時処理として、自動停止装置４、聴覚報知装置５及び視覚報知装置６を作動させ、点検処理部１２は、点検処理として、異常時処理の内容を一部異ならせた処理を行う。【選択図】図１
2018039301.tif 000002
【特許請求の範囲】
【請求項１】
車両を自動で停止させる自動停止装置と、
聴覚により警告を報知する聴覚報知装置と、
視覚により警告を報知する視覚報知装置と、
車両に設けられた作動スイッチが押下されると、異常時処理を行う異常時処理部と、
前記作動スイッチの押下と他の操作とを組み合わせた点検開始操作が行われると、前記異常時処理を点検するための点検処理を行う点検処理部と、を備え、
異常時処理部は、前記異常時処理として、前記自動停止装置、前記聴覚報知装置及び前記視覚報知装置を作動させ、
前記点検処理部は、前記点検処理として、前記異常時処理の内容を一部異ならせた処理を行う、
車両制御装置。
【請求項２】
前記聴覚報知装置は、前記車両の警笛を含み、
前記異常時処理部は、前記異常時処理として、前記警笛を吹鳴し、
前記点検処理部は、前記点検処理として、前記警笛を吹鳴しない、
請求項１に記載の車両制御装置。
【請求項３】
前記聴覚報知装置は、前記車両の警笛を含み、
前記異常時処理部は、前記異常時処理として、前記警笛を吹鳴し、
前記点検処理部は、前記点検処理として、前記警笛を前記異常時処理よりも小さな音で吹鳴する、
請求項１に記載の車両制御装置。
【請求項４】
前記自動停止装置は、ブレーキを含み、
前記異常時処理部は、前記異常時処理として、前記車両のブレーキにより前記車両を停止させ、
前記点検処理部は、前記点検処理として、前記ブレーキのブレーキ圧を上昇させる、
請求項１〜３の何れか一項に記載の車両制御装置。
【請求項５】
前記点検処理部は、設定期間に設定回数以上の前記点検処理が行われない場合は、前記点検処理が行われるまでエンジンの始動又はトランスミッションの連結を許可しない、
請求項１〜４の何れか一項に記載の車両制御装置。
【発明の詳細な説明】
【技術分野】
【０００１】
本発明は、ドライバーの異常時等に車両を制御する車両制御装置に関する。
【背景技術】
【０００２】
最近、ドライバーが急病等により運転の継続が困難になった場合に、自動車を自動で停止させるドライバー異常時対応システムのガイドラインが、国土交通省において策定された（非特許文献１）。このドライバー異常時対応システムは、車両に設けられた作動ボタンが押下されると、警笛の吹鳴及び非常灯の点灯等によりドライバー異常時対応システムが作動していることを車外及び車内の人に聴覚及び視覚により報知しながら、車両を自動で停止させるシステムである。なお、車両を自動で停止させる技術としては、例えば特許文献１に記載されたような技術が公開されている。
【先行技術文献】
【特許文献】
【０００３】
【特許文献１】特開平１１−０４２９５７号公報
【非特許文献】
【０００４】
【非特許文献１】「ドライバー異常時対応システム（減速停止型）基本設計書」、平成２８年８月、国土交通省自動車局  先進安全自動車推進検討会
【発明の概要】
【発明が解決しようとする課題】
【０００５】
しかしながら、このようなドライバー異常時対応システム（車両制御装置）は、ドライバーの生涯又は車両の車齢の間に１回作動するか否かである。このため、長期間使用されないことで作動ボタンの接点に錆び、汚損、固着等が発生し、ドライバー異常時対応システムが正常に作動しなくなることも考えられる。
【０００６】
そこで、定期的にドライバー異常時対応システムを点検することが考えられる。しかしながら、ドライバー異常時対応システムは警笛の吹鳴など大きな音が出るため、ドライバー異常時対応システムをそのまま作動させると、近隣の迷惑となる可能性がある。特に、早朝や夜中に点検を行う場合は、尚更である。
【０００７】
そこで、本発明は、近隣の迷惑になるのを抑制して点検を行うことができる車両制御装置を提供することを課題とする。
【課題を解決するための手段】
【０００８】
本発明に係る車両制御装置は、車両を自動で停止させる自動停止装置と、聴覚により警告を報知する聴覚報知装置と、視覚により警告を報知する視覚報知装置と、車両に設けられた作動スイッチが押下されると、異常時処理を行う異常時処理部と、作動スイッチの押下と他の操作とを組み合わせた点検開始操作が行われると、異常時処理を点検するための点検処理を行う点検処理部と、を備え、異常時処理部は、異常時処理として、自動停止装置、聴覚報知装置及び視覚報知装置を作動させ、点検処理部は、点検処理として、異常時処理の内容を一部異ならせた処理を行う。
【０００９】
本発明に係る車両制御装置では、作動スイッチが押下されると、異常時処理部は、聴覚報知装置及び視覚報知装置により聴覚及び視覚により車外及び車内の人に報知して、自動停止装置により車両を自動で停止させる。そして、作動スイッチの押下と他の操作とを組み合わせた点検開始操作が行われると、点検処理部は、点検処理として、異常時処理の内容を一部異ならせた処理を行う。このため、点検処理部は、例えば、点検処理として、異常時処理のうち近隣の迷惑になるような処理を、キャンセル又は近隣の迷惑とならないような内容に変えることで、近隣の迷惑になるのを抑制して異常時処理を点検することができる。しかも、点検処理を開始するための点検開始操作には、作動スイッチの押下が含まれるため、作動スイッチの接点に錆び、汚損、固着等が発生するのを抑制することができる。
【００１０】
上記の車両制御装置において、聴覚報知装置は、車両の警笛を含み、異常時処理部は、異常時処理として、警笛を吹鳴し、点検処理部は、点検処理として、警笛を吹鳴しなくてもよい。この車両制御装置では、異常時処理として、警笛を吹鳴するが、点検処理として、警笛を吹鳴しない。これにより、異常時処理の点検により近隣の迷惑になるのを抑制することができる。
【００１１】
上記の車両制御装置において、聴覚報知装置は、車両の警笛を含み、異常時処理部は、異常時処理として、警笛を吹鳴し、点検処理部は、点検処理として、警笛を異常時処理よりも小さな音で吹鳴してもよい。この車両制御装置では、異常時処理として、警笛を吹鳴するが、点検処理として、警笛を異常時処理よりも小さな音で吹鳴する。これにより、近隣の迷惑になるのを抑制して警笛を吹鳴する異常時処理を点検することができる。
【００１２】
上記の車両制御装置において、自動停止装置は、ブレーキを含み、異常時処理部は、異常時処理として、車両のブレーキにより車両を停止させ、点検処理部は、点検処理として、ブレーキのブレーキ圧を上昇させてもよい。この車両制御装置では、異常時処理として、車両のブレーキにより車両を停止させるが、点検処理時は、通常、車両が停止している状態で行うことから、点検処理として、ブレーキのブレーキ圧を上昇させる。つまり、点検処理では、ブレーキにより車両を停止させないが、ブレーキのブレーキ圧の上昇を確認することで、ブレーキが正常に作動するか否かを確認することができる。これにより、ブレーキにより車両を停止させる異常時処理を点検することができる。
【００１３】
上記の車両制御装置において、点検処理部は、設定期間に設定回数以上の点検処理が行われない場合は、点検処理が行われるまでエンジンの始動を許可しなくてもよい。この車両制御装置では、設定期間に設定回数以上の点検処理が行われない場合は、点検処理が行われるまでエンジンの始動を許可しないことで、作動スイッチの接点に錆び、汚損、固着等が発生するのを更に抑制することができる。
【発明の効果】
【００１４】
本発明によれば、近隣の迷惑になるのを抑制して点検を行うことができる。
【図面の簡単な説明】
【００１５】
【図１】実施形態に係る車両制御装置の概略ブロック図である。
【図２】図１の車両制御装置の動作を閉めるフローチャートである。
【発明を実施するための形態】
【００１６】
以下、本発明の好適な実施形態について、図面を参照して詳細に説明する。なお、以下の説明において同一又は相当要素には同一符号を付し、重複する説明を省略する。
【００１７】
図１は、実施形態に係る車両制御装置の概略ブロック図である。図１に示すように、本実施形態に係る車両制御装置１は、車両Ｖに搭載されて、ドライバーが急病等により運転の継続が困難になった場合に、自動車を自動で停止させる装置である。つまり、車両制御装置１は、ドライバーが急病等により運転の継続が困難になった場合に、自動車を自動で停止させるための異常時処理を行う。車両制御装置１は、ドライバー異常時対応システムとも呼ばれる。車両Ｖとしては、例えば、バス等の商用車が挙げられる。但し、車両Ｖとしては、特に限定されるものではなく、例えば大型車両や中型車両、普通乗用車、小型車両又は軽車両等の何れであってもよい。
【００１８】
車両制御装置１は、作動スイッチ２、解除スイッチ３、自動停止装置４、聴覚報知装置５、視覚報知装置６、及びＥＣＵ［Electronic Control Unit］１０、を備えている。
【００１９】
作動スイッチ２は、車両Ｖに設けられて、異常時処理を作動させるためのスイッチである。作動スイッチ２は、例えば、運転席に１つ、客席に２つ設けられている。つまり、ドライバーが作動スイッチ２を押下できる状態にある場合は、ドライバーが作動スイッチ２を押下できるように、作動スイッチ２が運転席に設けられている。また、ドライバーが作動スイッチ２を押下できない状態にある場合は、乗客が作動スイッチ２を押下できるように、作動スイッチ２が客席に設けられている。そして、作動スイッチ２が押下されると、作動スイッチ２からＥＣＵ１０に電気信号が送信される。
【００２０】
解除スイッチ３は、車両Ｖに設けられて、異常時処理の作動を解除させるためのスイッチである。解除スイッチ３は、例えば、運転席に１つ設けられている。つまり、乗客が誤って作動スイッチ２を押下した場合に、ドライバーが異常時処理の作動を解除することができるように、解除スイッチ３が運転席に設けられている。なお、解除スイッチ３は、車両Ｖが停止した後にも、異常時処理の作動を解除するために押下される。
【００２１】
自動停止装置４は、ＥＣＵ１０に制御されることにより、車両Ｖを自動で停止させる装置である。自動停止装置４は、例えば、車両Ｖの制動を行うブレーキ４ａ等を備えている。自動停止装置４としては、例えば、非特許文献１に記載されたドライバー異常時対応システムを実現する装置、特許文献１に記載された装置等を用いることができる。
【００２２】
聴覚報知装置５は、聴覚により警告を報知する装置である。つまり、聴覚報知装置５は、ＥＣＵ１０に制御されることにより、異常時処理が行われていることを示す警告を、車外及び車内の人に聴覚により報知する。聴覚により報知するとは、聴覚により認識できる形態で報知することを言い、例えば、音を発生させることで報知することを言う。聴覚報知装置５としては、警笛５ａ（ホーン）、車内ブザー５ｂ等が挙げられる。
【００２３】
視覚報知装置６は、視覚により警告を報知する装置である。つまり、視覚報知装置６は、ＥＣＵ１０に制御されることにより、異常時処理が行われていることを示す警告を、車外及び車内の人に視覚により報知する。視覚により報知するとは、視覚により認識できる形態で報知することを言い、例えば、光を発生させることで報知することを言う。視覚報知装置６としては、非常灯６ａ（ハザードランプ）、車内灯６ｂ等が挙げられる。
【００２４】
ＥＣＵ１０は、ＣＰＵ[Central Processing Unit]、ＲＯＭ[Read Only Memory]、ＲＡＭ[Random AccessMemory]等を有する電子制御ユニットである。ＥＣＵ１０では、ＲＯＭに記憶されているプログラムをＲＡＭにロードし、ＣＰＵで実行することで、各種の制御を実行する。ＥＣＵ１０は、複数の電子制御ユニットから構成されていてもよい。
【００２５】
ＥＣＵ１０は、異常時処理部１１及び点検処理部１２を備えている。
【００２６】
異常時処理部１１は、作動スイッチ２が押下されると、異常時処理を行う。つまり、作動スイッチ２が押下されて、作動スイッチ２からＥＣＵ１０に電気信号が伝達されると、異常時処理を行う。異常時処理部１１は、異常時処理として、自動停止装置４、聴覚報知装置５及び視覚報知装置６を作動させる。
【００２７】
つまり、異常時処理部１１は、自動停止装置４を作動させて、ブレーキ４ａ等により車両Ｖを自動で停止させる。例えば、異常時処理部１１は、走行している車両Ｖが徐々に減速するようにブレーキ４ａのブレーキ圧を上昇させ、走行している車両Ｖが停止すると、ブレーキ４ａのブレーキ圧を元に戻す。
【００２８】
また、異常時処理部１１は、聴覚報知装置５を作動させて、車外及び車内の人に対して聴覚により警告を報知する。例えば、異常時処理部１１は、車外の人に対して聴覚により警告を報知するために、警笛５ａを吹鳴し、車内の人に対して聴覚により警告を報知するために、車内ブザー５ｂを発生する。
【００２９】
また、異常時処理部１１は、視覚報知装置６を作動させて、車外及び車内の人に対して視覚により警告を報知する。例えば、異常時処理部１１は、車外の人に対して視覚により警告を報知するために、非常灯６ａを点滅させ、車内の人に対して視覚により警告を報知するために、車内灯６ｂを点滅させる。なお、異常時処理部１１による異常時処理は、上記の態様に限定されるものではなく、例えば、非特許文献１に記載されたドライバー異常時対応システムの様々な報知処理を行ってもよい。
【００３０】
そして、異常時処理部１１は、解除スイッチ３が押下されると、実行している異常時処理を終了する。つまり、解除スイッチ３が押下されて、解除スイッチ３からＥＣＵ１０に電気信号が伝達されると、実行している異常時処理を終了する。
【００３１】
点検処理部１２は、作動スイッチ２の押下と他の操作とを組み合わせた点検開始操作が行われると、異常時処理部１１の異常時処理を点検するための点検処理を行う。作動スイッチ２の押下と他の操作とを組み合わせた点検開始操作は、異常時処理部１１による異常時処理を実行するための操作及び通常の運転操作とは異なる操作である。点検開始操作としては、作動スイッチ２の押下が含まれていれば特に限定されるものではなく、例えば、作動スイッチ２及び解除スイッチ３を同時に押下する操作や、作動スイッチ２及び解除スイッチ３を押下しながらキーオンする操作等が挙げられる。
【００３２】
点検処理は、基本的には異常時処理と同じ処理であり、異常時処理の内容を一部異ならせた処理である。
【００３３】
例えば、点検処理部１２は、視覚により警告を報知する異常時処理の点検処理として、異常時処理と同様に視覚報知装置６を作動させる。つまり、点検処理部１２は、点検処理として、異常時処理と同様に、非常灯６ａを点滅させるとともに、車内灯６ｂを点滅させる。
【００３４】
一方、点検処理部１２は、車両Ｖを停止させる異常時処理の点検処理として、ブレーキ４ａにより車両Ｖを停止させる異常時処理に替えて、車両Ｖの走行の有無に関わらずブレーキ４ａのブレーキ圧を上昇させる。通常、点検処理は車両Ｖが停止している状態で行われるため、ブレーキ４ａにより車両Ｖを停止させることができない。そこで、点検処理部１２は、車両Ｖが停止している状態でも点検ができるように、ブレーキ４ａのブレーキ圧を上昇させる。これにより、ブレーキ圧の上昇を確認することで、ブレーキ４ａにより車両Ｖを停止させることができるか否かを実質的に確認することができる。
【００３５】
また、点検処理部１２は、聴覚により警告を報知する異常時処理の点検処理として、警笛５ａの吹鳴は行わずに、車内ブザー５ｂの発生のみを行う。
【００３６】
なお、異常時処理の内容は、上記内容に限定されるものではなく、適宜変更してもよい。
【００３７】
また、点検処理部１２は、エンジン（不図示）の始動前から実行される点検モードを備える。点検モードは、設定期間に設定回数以上の点検処理が行われない場合に、点検処理が行われるまでエンジンの始動を許可しないモードである。このため、点検処理部１２は、点検処理を実行した履歴を記憶保持しており、この履歴に基づいて、設定期間に設定回数以上の点検処理が行われているか否かを判定する。設定期間に設定回数以上の各設定値としては、特に限定されてないが、例えば、設定期間は一日、設定回数は一回とすることができる。そして、点検モードでは、点検処理の実行を促すアナウンスを出力する。なお、点検処理部１２は、常時、点検モードを実行していてもよいが、例えば、エンジン始動前に行う車両Ｖの点検操作や、エンジン始動操作が行われた際に、点検モードを実行してもよい。
【００３８】
そして、点検処理部１２は、点検処理が行われて点検終了操作が行われると、点検モードを終了して、点検処理を終了する。点検終了操作は、通常の運転操作とは異なる操作である。点検終了操作としては、特に限定されるものではなく、例えば、解除スイッチ３を押下する操作等が挙げられる。
【００３９】
次に、車両制御装置１で実行される処理について、図２を参照して説明する。
【００４０】
図２は、図１の車両制御装置の動作を閉めるフローチャートである。車両制御装置１では、例えば、エンジン始動前に点検モードに入り、ＥＣＵ１０の点検処理部１２において以下の処理を実行する。
【００４１】
図２に示すように、車両制御装置１は、まず、設定期間に設定回数以上の点検処理を実行したか否かを判定する（Ｓ１）。設定期間に設定回数以上の点検処理を実行したと判定した場合（Ｓ１：ＹＥＳ）、車両制御装置１は、点検モードを終了する。
【００４２】
一方、設定期間に設定回数以上の点検処理を実行していないと判定した場合（Ｓ１：ＮＯ）、車両制御装置１は、エンジン始動を不許可とし（Ｓ２）、点検モードアナウンスを行う（Ｓ３）。点検モードアナウンスは、運転手や整備士等に点検処理の実行を促すアナウンスである。点検モードアナウンスは、点検開始操作が行われるまで、所定の間隔で繰り返し行われる（Ｓ４）。
【００４３】
点検開始操作が行われると（Ｓ４：ＹＥＳ）、車両制御装置１は、点検処理を行う（Ｓ５）。点検処理では、上述したように、異常時処理部１１の異常時処理の内容を一部異ならせた処理を行う。点検処理は、点検終了操作が行われるまで継続される（Ｓ６）。
【００４４】
点検終了操作が行われると（Ｓ６ＹＥＳ）、車両制御装置１は、エンジン始動を許可して（Ｓ７）、点検モードを終了する。
【００４５】
このように、本実施形態に係る車両Ｖ制御装置では、作動スイッチ２が押下されると、異常時処理部１１は、聴覚報知装置５及び視覚報知装置６により聴覚及び視覚により車外及び車内の人に報知して、自動停止装置４により車両Ｖを自動で停止させる。そして、作動スイッチ２の押下と他の操作とを組み合わせた点検開始操作が行われると、点検処理部１２は、点検処理として、異常時処理の内容を一部異ならせた処理を行う。このため、点検処理部１２は、例えば、点検処理として、異常時処理のうち近隣の迷惑になるような処理を、キャンセル又は近隣の迷惑とならないような内容に変えることで、近隣の迷惑になるのを抑制して異常時処理を点検することができる。しかも、点検処理を開始するための点検開始操作には、作動スイッチ２の押下が含まれるため、作動スイッチ２の接点に錆び、汚損、固着等が発生するのを抑制することができる。
【００４６】
また、異常時処理として、警笛５ａを吹鳴するが、点検処理として、警笛５ａを吹鳴しない。これにより、異常時処理の点検により近隣の迷惑になるのを抑制することができる。
【００４７】
また、異常時処理として、車両Ｖのブレーキ４ａにより車両Ｖを停止させるが、点検処理時は、通常、車両Ｖが停止している状態で行うことから、点検処理として、ブレーキ４ａのブレーキ圧を上昇させる。つまり、点検処理では、ブレーキ４ａにより車両Ｖを停止させないが、ブレーキ４ａのブレーキ圧の上昇を確認することで、ブレーキ４ａが正常に作動するか否かを確認することができる。これにより、ブレーキ４ａにより車両Ｖを停止させる異常時処理を点検することができる。
【００４８】
また、設定期間に設定回数以上の点検処理が行われない場合は、点検処理が行われるまでエンジンの始動を許可しないことで、作動スイッチ２の接点に錆び、汚損、固着等が発生するのを更に抑制することができる。
【００４９】
以上、本発明の好適な実施形態について説明したが、本発明は、上記実施形態に限られるものではなく、各請求項に記載した要旨を変更しない範囲で変形し、又は他のものに適用してもよい。
【００５０】
例えば、上記実施形態では、点検処理部１２は、点検処理として、警笛５ａの吹鳴は行わないものとして説明したが、警笛５ａを異常時処理よりも小さな音で吹鳴するものとしてもよい。これにより、近隣の迷惑になるのを抑制して警笛５ａを吹鳴する異常時処理を点検することができる。この場合、再度、点検開始操作が行われると、警笛５ａの吹鳴を行ってもよい。
【００５１】
また、上記実施形態では、設定期間に設定回数以上の点検処理が行われない場合は、点検処理が行われるまでエンジンの始動を許可しないものとして説明したが、エンジンの始動を許可しない処理の代わりに、又は、エンジンの始動を許可しない処理と併せて、トランスミッション（不図示）の連結を許可しない処理を行うものとしてもよい。エンジンの始動を許可しない処理の代わりにトランスミッションの連結を許可しない処理を行う場合は、図２に示した処理は、エンジン始動後に行ってもよい。
【符号の説明】
【００５２】
１…車両制御装置、２…作動スイッチ、３…解除スイッチ、４…自動停止装置、４ａ…ブレーキ、５…聴覚報知装置、５ａ…警笛、５ｂ…車内ブザー、６…視覚報知装置、６ａ…非常灯、６ｂ…車内灯、１１…異常時処理部、１２…点検処理部、Ｖ…車両。
【図１】
2018039301.tif 000003
【図２】
2018039301.tif 000004